(57)【要約】【課題】  人工的な制御環境下で高速大量のコケ稚苗を生産することができ、緑化植物として好適なコケ稚苗の生産方法を提供する。【解決手段】  養液中で、温度０〜６０℃、光合成有効光量子束密度（ＰＰＦＤ）２００（μｍｏｌｍ−２ｓ−１）以下、肥料濃度（ｍＳ／ｃｍ）０〜１．０の各範囲内で、２４時間またはそれ以下の時間の周期で明暗期を繰り返し、曝気攪拌し、コケの稚苗の生育を制御して、配偶体１の周囲に再生芽２が繁殖したコケ稚苗を生育させる。【選択図】  図７ 
2005253456.tif 000002
【特許請求の範囲】
【請求項１】
養液中でコケ類を生育させることを特徴とする、コケ稚苗の生産方法。
【請求項２】
養液中で、コケ類の配偶体の周囲に再生芽を繁殖させる、請求項１記載のコケ稚苗の生産方法。
【請求項３】
養液中で、温度０〜６０℃、光合成有効光量子束密度（ＰＰＦＤ）２００（μｍｏｌｍ−２ｓ−１）以下の各範囲内で、酸素を含む気体を断続的にコケ類の配偶体に接触させながら生育させる、コケ稚苗の生産方法。
【請求項４】
養液中で、温度０〜６０℃、光合成有効光量子束密度（ＰＰＦＤ）２００（μｍｏｌｍ−２ｓ−１）以下の各範囲内で、曝気攪拌しながら生育させる、コケ稚苗の生産方法。
【請求項５】
２４時間またはそれ以下の時間の周期で明暗期を繰り返して、コケ類を生育させる、請求項３又は４記載のコケ稚苗の生産方法。
【請求項６】
前記養液の肥料濃度が０〜１．０（ｍＳ／ｃｍ）である、請求項３乃至５のいずれかの項に記載のコケ稚苗の生産方法。
【請求項７】
前記養液が植物ホルモンを含むことを特徴とする請求項１乃至６のいずれかの項に記載のコケ稚苗の生産方法。
【請求項８】
前記植物ホルモンが、少なくともジベレリン、サイトカイ二ン、オーキシンのうちの一つを含むことを特徴とする請求項７に記載のコケ稚苗の生産方法。
【請求項９】
前記稚苗がセン類のコケ植物である請求項１乃至８のいずれかの項に記載のコケ稚苗の生産方法。
【請求項１０】
前記コケ植物がスナゴケである請求項９記載のコケ稚苗の生産方法。
【請求項１１】
緑化用コケとして用いられる請求項１乃至１０のいずれかに記載のコケ稚苗の生産方法。
【請求項１２】
請求項１〜１０のいずれかの項に記載の生産方法で得られたコケ稚苗を、植物工場環境でコケマット支持体に移し養生する、緑化コケ植物の生産方法。
【請求項１３】
少なくとも一面に開口部を有するマット支持体にコケを保持した状態で養液中でコケを養生させることを特徴とするコケマットの生産方法。
【請求項１４】
光をマット面の法線方向から照射して少なくとも一面に開口部を有するマット支持体にコケを保持した状態で養液中でコケを養生させることを特徴とするコケマットの生産方法。
【請求項１５】
コケの配偶体の周囲に再生芽が繁殖したコケ稚苗。
【請求項１６】
繁殖した前記再生芽の先端の包絡面が紡錘状をした請求項１１記載のコケ稚苗。
【請求項１７】
配偶体の周囲に繁殖方向性を持った再生芽を有するコケ稚苗。
【請求項１８】
緑化用コケとして用いられる請求項１３乃至１５のいずれかの項に記載のコケ稚苗。
【発明の詳細な説明】
【技術分野】
【０００１】
本発明は、コケ、特に緑化植物用として好適なコケ稚苗を大量高速に栽培することができるコケ稚苗の生産方法及び施工に便利なようにコケをマット状にしたコケマットの生産方法並びにコケ稚苗に関する。
【背景技術】
【０００２】
通常、コケ類は主に園芸素材として人為的に自然環境下で栽培されている。それはコケ類に対する需要が比較的小規模であり、自然環境下での栽培で十分需要が対応できているからである。現在の技術では生育が遅いため２〜３年の長い期間をかけて生産されている。
コケは特殊な生育環境を好むため栽培地として利用できるわずかな場所で栽培されている。従って、従来は、コケの生産過程で一部は造園用生ゴケとして、また一部は裁断乾燥してコケ種として出荷されているにすぎない。
【０００３】
一方緑化植物として、建物の屋上、壁面、道路側壁、河川の護岸面等にはコケをマット状にしたコケマットを被覆、固定して施工されることが行われつつある。コケは緑化植物として、気候変動に強く、土壌が無くても育つため、重量が軽く、メンテナンスが殆ど不要であるため好ましい。コケマットとは所謂芝生マットのようにコケが群生したマット状のものであって、通常施工等の取り扱い上通常４０〜６０ｃｍ角の略正方形状にコケが絡まりマットの上面にコケの芽（穂状のもの）が伸び揃ったものをいう。通常コケマットは樹脂繊維を編んだネットや、樹脂糸状体を絡ませて包絡面が板状体にした物や、射出成形等で作られた樹脂製の枠体またはその組み合わせ等にてなる支持体にコケ稚苗を入れ、その後コケの増殖、コケ長を伸長させる養生という工程を経て製造される。
【０００４】
コケマットを製造するには大量のコケが必要であるが、コケの生産技術は未だ確立されていないのが実情である。特に、乾燥にも強く、ビルの壁面など無機質基板でも育つスナゴケは、その意味では緑化植物として好適であるが、自然環境では生育速度がきわめて遅い為、大量栽培が必要な緑化植物として用いることは容易でなかった。
【０００５】
従来、緑化植物としてコケ類を用いる技術が提案されている（特許文献１）。同特許文献１には、野山等に自生するコケの自生種から配偶体を採取して、これを多次栽培する方法、或いはコケ植物の細胞を増殖させる培地を用いて培養する方法などが提案されている（同特許文献  第４頁第７欄第２９行〜同頁第８欄第２０行）。
【０００６】
【特許文献１】特許２８６３９８７号
【０００７】
しかし、これらの技術はいずれも手間も時間もかかるもので、人工的な制御環境の下で高速大量にコケを生産する技術を必ずしも提供するものではない。
またコケ稚苗ができたとしても施工に便利なコケマットにするにはコケ稚苗をマット支持体中で増殖させマットの片面方向に伸張させる養生が必要である。自然環境下あるいは、屋根等のある制御環境下にて適宜散水してコケの生育を早める環境下でマット体を養生する。この養生に数月から数年かかるため、コケを緑化に用いる上でこの点もネックとなっていた。
【発明の開示】
【発明が解決しようとする課題】
【０００８】
本発明の課題は、人工的な制御環境下で高速大量のコケ稚苗を生産することができ、特に緑化植物として好適なスナゴケ等のコケ稚苗の生産方法を提供すること及びそのコケマットを短時間で生産する方法を提供することである。
【課題を解決するための手段】
【０００９】
上記課題を鋭意検討した結果、コケの生育環境を自然環境に求めず、養液中でコケ類の稚苗を生育させたところ、元来液中では枯化し死滅するものと考えていたコケ類の配偶体の周囲に再生芽（側芽）が高速大量に繁殖するという予期せぬ現象を見出し、本知見を基に本発明を完成した。
【００１０】
本発明は、養液中でコケ類の稚苗を生育させることを特徴とするコケ稚苗の生産方法、及び養液中でコケマットを生産するコケマットの生産方法である。すなわち、本発明は、養液中でコケ類の生育を制御するコケの生産方法である。
【００１１】
コケの稚苗の生育は特に、養液中で、温度０〜６０℃、光合成有効光量子束密度２００（μｍｏｌｍ−２ｓ−１）以下の各範囲内で生育させることが望ましい。
また、養液中で曝気攪拌など、酸素を含む気体（例えば空気など）を断続的にコケ類の配偶体に接触させながら生育させることが好ましい。特に、養液中で曝気攪拌しながら稚苗を生育させると、養液中でコケ稚苗か攪拌されながら生育するため、光及び重力の影響を一定方向に固定せずに３６０度方向から自由に与えることができるため、配偶体の周囲に再生芽を繁殖させることができ、緑化用として好適なコケ稚苗を得ることができる。これにより、例えば、繁殖した前記再生芽の先端の包絡面が紡錘状をした緑化用として好適なコケ稚苗を生産することができる。
【００１２】
また、養液中で一定方向にコケ稚苗を固定しながら生育させることもでき、配偶体の周囲に繁殖方向性を持った再生芽を有するコケ稚苗を栽培することも可能である。このように、養液中でコケ稚苗を生育させることから、養液中でのコケ稚苗の位置を制御することができ、緑化用途などの各種用途に適した繁殖形状をコケ稚苗に与えることができる。
また、２４時間またはそれ以下の時間の周期で明暗期を繰り返して、コケ類の稚苗を生育させることが好ましく、養液の肥料濃度も電気伝導度（ｍＳ／ｃｍ）で０〜１．０の様に低濃度の下で生育させることが好ましい。
【００１３】
更に少なくとも一面に開口部を有するマット支持体に上記コケ稚苗またはコケの配偶体を保持した状態で養液中にて上記と同様にコケ稚病を生育させることができ、加えて養液中でマット支持体の開口部から伸びでたコケの芽をマット体の法線方向に生育させることによりコケマットの養生を短期間に行うことができる。
【発明の効果】
【００１４】
これにより、野山等に自生するコケの自生種などから配偶体を採取し、これを例えば養液が貯蔵されたタンクに投入して生育させると、コケ類の配偶体の周囲に再生芽が高速大量に繁殖し増殖することから、高速大量のコケ稚苗を生産することができる。そしてこのコケ稚苗を制御環境下で養生することにより、緑化に適したコケの群落を提供することができる。
更にコケマット体を養液中で養生することにより、施工に便利なコケマットを簡易に短期間に生産することができる。
コケの配偶体の周囲に再生芽が繁殖した特異な形態のコケ稚苗が得られる。
【発明を実施するための最良の形態】
【００１５】
本発明に使用されるコケとしては特に限定されないが、有菌又は無菌を問わないが、養液中で生育させて配偶体の周囲に再生芽が繁殖するコケ類であればいずれも使用できる。例えば、セン類やタイ類、中でもセン類のコケ植物が好ましい。例えば、セン類においては、スナゴケ、ハイスナゴケ、エゾスナゴケ、シモフリゴケ、クロカワキゴケ、キスナゴケ、ヒメスナゴケ、ミヤマスナゴケ、ナガエノスナゴケ、チョウセンスナゴケ、マルバナスナゴケ等のシモフリゴケ属（Rhacomitrium Bird.）、トヤマシノブゴケ、ヒメシノブゴケ、オオシノブゴケ、コバノエゾシノブゴケ、エゾシノブゴケ、アオシノブゴケ、チャボシノブゴケ等のシノブゴケ属（Thuidium  B.S.G）、コウヤノマンネングサ、フロウソウ等のコウヤノマンネングサ属（Climacium Web.et Mohr）、カモジゴケ、シッポゴケ、オオシッポゴケ、チャシッポゴケ、チシマシッポゴケ、アオシッポゴケ、ナミシッポゴケ、ナガシッポゴケ、ヒメカモジゴケ、コカモジゴケ、タカネカモジゴケ、フジシッポゴケ、カギカモジゴケ、ナスシッポゴケ等のシッポゴケ属（Dicranum  Hedw.）、ハイゴケ、オオベニハイゴケ、ヒメハイゴケ、チチブハイゴケ、フジハイゴケ、ハイヒバゴケ、イトハイゴケ、キノウエノコハイゴケ、キノウエノハイゴケ、ミヤマチリメンゴケ、ハイサワラゴケモドキ、タチヒラゴケモドキ、エゾハイゴケ等のハイゴケ属（Hypnum  Hedw.）、ヒノキゴケ、ヒロハヒノキゴケ、ハリヒノキゴケ等のヒノキゴケ属（Rhizogonium Brid.）等を用いることができる。
【００１６】
タイ類においては、ツクシウロコゴケ、ウロコゴケ、オオウロコゴケ、トサカゴケモドキ、マルバソコマメゴケ、アマノウロコゴケ等のウロコゴケ属（Heteroscyphus Schiffn. ）、クラマゴケモドキ、カハルクラマゴケモドキ、トサクラマゴケモドキ、ヒメクラマゴケモドキ、ヤマトクラマゴケモドキ、ナガバクラマゴケモドキ、オオクラマゴケモドキ、ニスビキカヤゴケ、ケクラマゴケモドキ、ホソクラマゴケモドキ等のクラマゴケモドキ属（Porella.L）、ヤマトムチゴケ、ヨシナガムチゴケ、フォウリィムチゴケ、エゾムチゴケ、タマゴバムチゴケ、フタバムチゴケ、サケバムチゴケ、ヤマムチゴケ、ムチゴケ、コムチゴケ、マエバラムチゴケ等のムチゴケ属（Bazzania  S.Gray ）等に属するコケ類を用いることができる。
【００１７】
特に、スナゴケ、ハイスナゴケ、エゾスナゴケなどのスナゴケ（Rhacomitrium Canescens）は、ビルなどの緑化に好適である。このコケは、成長のための土壌も肥料も不要とすることができ、例えばビルの壁面に過剰な負担をかけず、非常に乾燥した状況で生存することができる。自然環境では生育速度がきわめて遅いが、本発明では大量高速でこの種の稚苗も栽培可能である。
【００１８】
養液中で生育させる原料コケ（元種苗）は野山等に自生するコケの自生種や市販種などから配偶体、特に茎葉体の形態を持つ配偶体を採取することによって得られる。
【００１９】
養液の温度は、０〜６０℃、好ましくは５〜５０℃、更に好ましくは１５〜２５℃である。養液の温度が０℃未満であると、養液が凍るため好ましくない。６０℃を超えると、微生物等の繁殖がし易くなり、コケの成長が遅延するため好ましくない。
【００２０】
養液の肥料濃度は、電気伝導度（ｍＳ／ｃｍ）で０〜１．０、好ましくは０〜０．２であり、低濃度又は肥料を含まない養液が好ましい。肥料としては通常の肥料（例えばハイポネックス）を用いることができる。肥料濃度が１．０（ｍＳ／ｃｍ）を超えると、肥料としては濃すぎる為、コケ稚苗の成長が遅延し易くなるため好ましくない。
【００２１】
養液には植物ホルモンを含むことが好ましい。植物ホルモンにはエチレン、アブシジン酸、オーキシン（インドール酢酸）、サイトカイ二ン（ゼアチン）、ジベレリン（ジベレリン酸）等が上げられるが、植物成長ホルモンが好ましく、中でもオーキシン、サイトカイ二ン、ジベレリンが好ましい。成長促進効果が大きいためジベレリンが最も好ましい。これらは単独で用いられてもよく混合及び／又は併用して用いられてもよい。植物成長ホルモン濃度は、濃いと生理障害を起こすため通常の園芸用に用いる濃度より千倍程度薄くした０．０１〜０．２ｐｐｍが好ましく、より好ましくは０．１ｐｐｍである。
【００２２】
コケの生育には光が必要である。光は自然光でも人工光でもよく光源は特に限られないが、光合成でき、成長を阻害しない波長域の成分を有することが必要である。人工環境下で育成させる場合には、通常の白熱灯、蛍光灯、水銀灯、ＬＥＤ等を用いることができるが、低エネルギーコスト、熱制御の容易さ、メンテナンスの容易さからＬＥＤが好ましく、中でも赤、橙色光を発光するＬＥＤが好ましい。ＬＥＤはコケ培養装置に組み込む時は二次元アレー状に配列されたものを用いれば、コンパクトになる。したがって送気管に連結した平型バブラーを有し養液およびコケの配偶体を入れた培養容器と、ＬＥＤアレイとを併せ有するものを単位とし同単位を立体的に多数重ねて構成することが容易となる。ＬＥＤアレイは低電力量で廃熱も少なく長寿命のため好ましい。
【００２３】
光合成有効光量子束密度（ＰＰＦＤ）は２００（μｍｏｌｍ−２ｓ−１）以下、特に光合成有効光量子束密度（ＰＰＦＤ）が５０（μｍｏｌｍ−２ｓ−１）以下が好ましく更に好ましくは光補償点以上であって２０〜３０（μｍｏｌｍ−２ｓ−１）である。光量子束密度が高いと、コケ稚苗の成長が遅延し易くなるため好ましくない。なお、養液中でコケ稚苗を生育させる場合は、明暗期を繰り返して調光することが好ましい。特に、２４時間またはそれ以下の時間の周期で明暗期を繰り返して生育させることが好ましい。一定周期で明暗期を繰り返すことにより、光合成と代謝のバランスが確保されるため好ましい。従って、例えば最初は１２時間ごと、一定期間後６時間ごとにするなど、明暗期のサイクル時間を稚苗の生育に応じて制御することによって、再生芽の繁殖量乃至速度等を制御することができる。
【００２４】
光刺激により再生芽が生じる再生芽の方向は重力、光の方向、酸素濃度等の影響を受ける。側芽の成長方向は向光性を有する。養液中で浮遊状態にあるコケ配偶体に３６０度方向から照光すれば再生芽はあらゆる方向に生じる。このため繁殖した前記再生芽の先端の包絡面が紡錘状をしたコケ稚苗が生じる。一方再生芽の成長方向を光の照射方向により制御することもできるため、コケマットの設計に当たり側芽を伸ばしたい方向から照射すれば、光の入射方向に再生芽が成長する。
【００２５】
コケマット支持体にコケ配偶体を充填し、配偶体の自由運動を禁じた状態で養液中で生育させる場合はコケマット支持体の開口面に対し垂直方向から光照射すれば開口部に向けて再生芽が生じる。その状態で養液外に取り出し、更にコケマット支持体の開口面に対し垂直方向から光照射するようにして養生することにより、マット開口部からいわゆるコケの穂がマット面に垂直に揃い伸びたコケマットを生産することができる。
【００２６】
一方コケマット支持体にコケ配偶体を充填し、配偶体の自由運動を禁じた状態で養液中で生育させる場合はコケマット支持体の開口面に対し垂直方向から光照射すれば開口部に向けて再生芽が生じる。そのまま養液中で培養を続けることによりマット開口部から再生芽の先端が、いわゆるコケの穂状にマット面に垂直に揃い伸びたコケマットを一挙に生産することができる。
【００２７】
また、本発明の方法は、養液中で曝気攪拌など酸素を含む気体を断続的にコケ類の配偶体に接触させ攪拌しながら生育させることが重要である。これにより、元来液中においては枯化又は死滅する再生芽が繁殖し、増殖する。空気などの気体をバブリングして攪拌する方法は曝気攪拌に限定されないが、曝気攪拌が簡便な方法として好ましい。
【００２８】
なお、本発明の方法を実施するための装置は、恒温、恒光で環境調整するため完全制御型が好ましく、大量生産に好適な植物工場の前段階を構成することが可能である。したがって、上記方法で得られたコケ稚苗を、植物工場環境でコケマット用媒体に移し養生すれば、大量の配偶体から繁殖し増殖した大量の再生芽が植物工場の制御環境下、特にコンピューター制御下でさらに生育し、大量のコケ群落を生産することができることから、一連の緑化コケ植物の生産工場としてシステム化することができる。
【実施例１】
【００２９】
大阪府和泉市の山から採取した野生のスナゴケの一部（茎葉体を有する配偶体）を切断
してコケ片（１５ｍｍ）をサンプルとし、これら２５ｇを５００ミリリットルの培養タンクに入れ、蛍光灯による光合成有効光量子束密度（ＰＰＦＤ）５０（μｍｏｌｍ−２ｓ−１）、１２時間明暗期、養液温度１５℃、肥料濃度０．２（ｍＳ／ｃｍ）のハイポネックスという完全制御の環境下で、空気をバブリングして攪拌し、稚苗を栽培した。
【００３０】
図１はコケ片の栽培開始０日の画像を示す図であり、図２は図１を線図として示した図、
図３同栽培７日目の画像を示す図、図４は図３を線図として示した図であり、図５は栽培
２１日目の画像を示す図であり、図６は図５を線図として示した図、図７は同栽培５０日
目の画像を示す図、図８は図７を線図として示した図である。画像図はいずれもコケ片を
デジタル写真撮影し、それをコンピューター上で画像処理して約３倍に拡大した状態を示
している。
【００３１】
図１（図２）に示す様に、栽培０日ではスナゴケの配偶体１には茎葉体４だけが葉柄３
の周囲にあるが、図５（図６）及び図７（図８）に示す様に、栽培２１日から５０日には
配偶体１の周囲に複数乃至多数の再生芽２が明らかに繁殖し増殖している。再生芽２は枯化又は休眠した葉柄３から繁殖しているものと考えられる。これにより、かかる方法によれば、コケの配偶体１の全周に再生芽２が繁殖した緑化植物に適したコケ稚苗が提供できる。
上記環境条件でコケ稚苗のそれぞれ生育速度は３週間でそれぞれ約５ｍｍであった。これは自然環境で生育速度の約８倍に相当する。
【００３２】
また植物工場の前工程として稚苗生産を構成する場合、上記の様な生産方法を採用すると、例えば、栽培量は培養タンクの容量に比例する設計を採用できることから、５リットルタンクで０．２５ｍ２分の稚苗を育てることができる。
【実施例２】
【００３３】
ポリエチレン製繊維で立体構造状に織ったコケマット支持体である縦５ｃｍ横５ｃｍ厚さ１．５ｃｍのコケマット用ポリオレフィン立体ネット５に実施例１と同じコケ片（平均１５ｍｍ長）１を密に充填してコケ片同士を相互に移動を束縛した状態にし、直方体状の立体構造を有する筐体６を形成した。同様にして作製したもう１個の筐体６と合わせ計２個の筐体をハイポネックス１０００倍養液７を充満した透明な培養容器８中に上記筐体を筐体の側面が鉛直になるよう浸漬して培養容器８中の透気隔壁９上に固定した。送気管１０から空気を圧送し、送気管に取り付けられた平面型バブラー（商品名「エアストーン」図示せず）から筐体６に向けて空気が十分送り込まれるように気泡１１を発生させ、バブリングにより養液を攪拌し，培養容器の正面から１２時間毎に断続的にポリオレフィン立体ネット５にコケ片を充填した面の被照射面がＰＰＦＤ５０μｍｏｌｍ−２ｓ−１となるよう光を照射し液温を１５℃に保ち培養を続けた。コケの生長はコケ単独で養液培養した実施例１とほぼ同様で，３週間で平均約５mmであった。これは自然環境下の生育速度の約８倍に相当する。
【実施例３】
【００３４】
実施例２の筐体１個を培養開始時点から３週間後に培養容器から取り出しコンクリート上に置き、通常の養生と同様に水を時々散布し、日光が上から当たる様にして養生しコケマットを得た。
【実施例４】
【００３５】
残った１個の筐体を更に５週間培養を継続した。光の照射されたネット面の開口部からコケの再生芽の先端が５ｍｍ伸びだしたコケマットが作製された。
【実施例５】
【００３６】
養液にジベレリンを０．１ｐｐｍ濃度にて添加した以外は実施例１と同様にして稚苗を栽培した。コケ稚苗のそれぞれ生育速度は１週間でそれぞれ約５ｍｍであった。
【産業上の利用可能性】
【００３７】
本発明の方法によれば、人工的な制御環境下で高速大量のコケ稚苗を生産することができるため、稚苗栽培設備を含むコケ育成用植物工場システムを構築することができる。更にコケマットを高速大量に製造できるので、屋上、屋根、壁面緑化などの建設、環境関連分野に対して、コケ植物を緑化植物としてはじめて実用化することができる。なお、本生産方法によって得られたコケ稚苗は、緑化植物用途に限らず、園芸用、造園用、薬用等など各種用途に適用できる。
【図面の簡単な説明】
【００３８】
【図１】コケ片の栽培開始０日の画像を示す図である。
【図２】図１を線図として示した図である。
【図３】同栽培７日目の画像を示す図である。
【図４】図３を線図として示した図である。
【図５】同栽培２１日目の画像を示す図である。
【図６】図５を線図として示した図である。
【図７】同栽培５０日目の画像を示す図である。
【図８】図７を線図として示した図である。
【図９】実施例２の培養状態を表す模式図である。
【符号の説明】
【００３９】
１  配偶体
２  再生芽
３  葉柄
４  茎葉体
５  立体ネット
６  筐体
７  養液
８  培養容器
９  透気隔壁
１０  送気管
１１  気泡
【図２】
2005253456.tif 000003
【図４】
2005253456.tif 000004
【図６】
2005253456.tif 000005
【図８】
2005253456.tif 000006
【図９】
2005253456.tif 000007
【図１】
2005253456.tif 000008
【図３】
2005253456.tif 000009
【図５】
2005253456.tif 000010
【図７】
2005253456.tif 000011